(57)【要約】【課題】搬送している冊子や、紙葉類のスキューやジャムの発生を抑え、且つ本体コストや、運用コストが抑えられる媒体処理装置を提供する。【解決手段】通帳は、通帳専用搬送路２０ａ、共通搬送路２０ｂに沿って搬送される。帳票は、帳票専用搬送路３０ａ、共通搬送路２０ｂに沿って搬送される。通帳／帳票処理装置１は、磁気ヘッド２４ａ、帳票を搬送しない通帳専用搬送路２０ａに配置しているので、帳票が磁気ヘッド２４ａに当たり、スキューしたり、ジャムしたりすることがない。したがって、帳票のスキューやジャムに対する信頼性を向上できる。また、通帳、および帳票を搬送する共通搬送路２０ｂの長さを抑え、本体コストや、運用コストが低減できる。【選択図】図２
2011088310.tif 000002
【特許請求の範囲】
【請求項１】
冊子挿入口と、放出口と、を結ぶ冊子搬送路に沿って、磁気ストライプが貼付された冊子を搬送する冊子搬送手段、
前記冊子搬送路の途中に配置した磁気ヘッドを有し、この冊子搬送路を搬送されている冊子に貼付されている磁気ストライプに対する磁気データの記録および読取を行う磁気データ処理手段と、
紙葉類挿入口と、前記冊子搬送路の中間に定めた合流点と、を結ぶ紙葉類搬送路に沿って、紙葉類を搬送する紙葉類搬送手段と、
前記紙葉類搬送路の途中に配置したイメージセンサを有し、この紙葉類搬送路を搬送されている紙葉類の表面画像を取得して処理する画像処理手段と、を備え、
前記合流点は、前記磁気ヘッドの配置位置よりも、前記放出口側に位置し、
前記冊子搬送手段は、前記紙葉類搬送手段により前記合流点に搬送されてきた紙葉類を放出口に搬送する、媒体処理装置。
【請求項２】
前記冊子搬送路の途中に配置した冊子用印字ヘッドを有し、前記冊子搬送手段により前記冊子搬送路を搬送されている冊子に対して印字を行う冊子印字手段を備えた、請求項１に記載の媒体処理装置。
【請求項３】
前記紙葉類搬送路の途中に配置した紙葉類用印字ヘッドを有し、前記紙葉類搬送手段により前記紙葉類搬送路を搬送されている紙葉類に対して印字を行う紙葉類印字手段を備えるとともに、
前記冊子用印字ヘッドを、前記合流点よりも前記冊子挿入口側に配置した、請求項２に記載の媒体処理装置。
【請求項４】
前記冊子を収納する冊子スタッカと、前記合流点と、を結ぶ冊子供給搬送路に沿って、前記冊子スタッカから繰り出した冊子を搬送する、冊子供給手段を備えた請求項２、または３に記載の媒体処理装置。
【請求項５】
前記冊子供給搬送路は、前記紙葉類搬送路に合流し、当該紙葉類搬送路の一部を介して
前記冊子搬送路の中間に定めた前記合流点に合流する、請求項４に記載の媒体処理装置。
【発明の詳細な説明】
【技術分野】
【０００１】
この発明は、銀行等の金融機関における、磁気ストライプが貼付された通帳等の冊子、および口座開設の申込書や、入出金取引、小切手、証券等の紙葉類、の２種類の媒体を処理する媒体処理装置に関する。
【背景技術】
【０００２】
従来、銀行等の金融機関では、開設されている口座毎に、取引内容を記帳する通帳（所謂、預金通帳、貯金通帳）を発行している。通帳は、複数ページからなる冊子であり、対応する口座の口座番号等を記録した磁気ストライプを裏表紙に貼付している。また、通帳は、口座番号や口座名義人の氏名等を表紙に印字している。通帳のページには、対応する口座に対する取引毎に、その取引内容を記入する複数行の記帳欄が設けられている。金融機関では、受け付けた通帳に貼付されている磁気ストライプに記録されている口座番号等のデータを読み取り、取引内容が記帳されていない取引の取引内容を記帳欄に記帳する通帳処理装置を利用している。
【０００３】
また、金融機関では、口座開設の申込書や入出金取引伝票等の帳票を受け付けて処理する帳票処理装置を利用している。帳票処理装置は、画像センサを用いて、受け付けた帳票の画像を読み取る。帳票処理装置は、読み取った帳票の画像に対して文字認識処理等を含む画像処理を行い、その帳票に記載されている取引内容を認識する。帳票処理装置は、認識した取引内容を上位装置等に通知し、その取引を処理する。
【０００４】
また、この帳票処理装置は、小切手や証券等の処理にも利用できる。
【０００５】
また、上述の通帳処理装置と、帳票処理装置とを一体化した装置が提案されている（特許文献１参照）。この特許文献１に記載されている装置は、通帳挿入口から挿入された通帳と、帳票発行部から繰り出された帳票と、がともに搬送される共通搬送路を形成している。そして、通帳に貼付されている磁気ストライプに記録されている口座番号等のデータを読み取るための磁気ヘッド、帳票の画像を読み取る画像センサ、通帳や帳票への印字を行う印字ヘッド等を、この共通搬送路に配置した構成であった。
【先行技術文献】
【特許文献】
【０００６】
【特許文献１】特開平４−３１６８７４号公報
【発明の概要】
【発明が解決しようとする課題】
【０００７】
しかしながら、特許文献１は、磁気ヘッドを共通搬送路に設けた構成である。磁気ストライプに対する磁気データの記録や、磁気データの読取は、磁気ヘッドを当該磁気ストライプに当接させて行う。したがって、磁気ヘッドは、共通搬送路を搬送している通帳の磁気ストライプが当接するように、共通搬送路に突出させていた。
【０００８】
このため、共通搬送路を搬送されている帳票が磁気ヘッドに当たり、スキューしたり、ジャムしたりすることがあった。
【０００９】
また、通帳と、帳票とでは、その厚さが異なることから、共通搬送路は、厚さの異なる媒体の搬送が行える構成にしなければならない。この構成としては、例えば、搬送ローラにおいてクッション作用を得るために、バネなどの弾性体を用いる構成がある。このため、共通搬送路は、他の搬送路（通帳のみや、帳票のみを搬送する搬送路）に比べて複雑な構成になる。
【００１０】
上述の特許文献１は、磁気ヘッド、画像センサ、および印字ヘッドを共通搬送路に配置する構成であるので、この共通搬送路が比較的長くなる。この共通搬送路は、上述したように搬送路の構成が複雑になることから、この共通搬送路が長くなるにつれて、本体のコストアップという問題がある。また、搬送ローラにおいてクッション作用を得るための弾性体の劣化等に対する調整や交換等の作業頻度も増加し、運用コストの増加をまねくという問題もある。
【００１１】
この発明の目的は、搬送している冊子や、紙葉類のスキューやジャムの発生を抑え、且つ本体コストや、運用コストが抑えられる媒体処理装置を提供することにある。
【課題を解決するための手段】
【００１２】
この発明の媒体処理装置は、上述の課題を解決し、その目的を達するために、以下のように構成している。
【００１３】
この媒体処理装置は、金融機関が発行した通帳等の冊子、および帳票、小切手、証券等の紙葉類を処理する装置である。
【００１４】
冊子搬送手段が、通帳等の冊子を冊子搬送路に沿って搬送する。この冊子には、磁気ストライプが貼付されている。磁気データ処理手段が、この冊子搬送路の途中に配置した磁気ヘッドを有しており、冊子搬送路を搬送されている冊子に貼付されている磁気ストライプに対する磁気データの記録や読取を行う。また、紙葉類搬送手段が、紙葉類を紙葉類搬送路に沿って搬送する。冊子搬送路は、冊子挿入口と放出口とを結んでおり、紙葉類搬送路は、紙葉類挿入口と、前記冊子搬送路の中間に定めた合流点とを結んでいる。そして、この合流点を、磁気ヘッドの配置位置よりも、放出口側に位置させている。
【００１５】
また、画像処理手段は、紙葉類搬送路を搬送されている紙葉類の表面画像を取得して処理する。イメージセンサは、紙葉類搬送路の途中に配置している。
【００１６】
すなわち、冊子、および紙葉類の両方が搬送される、合流点から放出口までの搬送路には、磁気ヘッドや、イメージセンサを配置していない。このため、紙葉類が磁気ヘッドに当たることがなく、紙葉類のスキューやジャムの防止が図れる。また、冊子、および紙葉類の両方が搬送される、合流点から放出口までの搬送路（共通搬送路）の長さも抑えられるので、本体コストや、運用コストが抑えられる。
【００１７】
また、冊子印字手段が、冊子搬送路を搬送されている冊子に対して印字を行う。冊子用印字ヘッドは、紙葉類に対して印字を行わない仕様とするのであれば、通帳挿入口と合流点との間に配置するのが好ましい。
【００１８】
また、紙葉類に対しても印字を行う仕様とするのであれば、冊子用印字ヘッドは、合流点と放出口との間に配置すればよい。
【００１９】
また、冊子、および紙葉類の両方が搬送される共通搬送路の長さを抑えるために、冊子用印字ヘッドを通帳挿入口と合流点との間に配置するとともに、紙葉類専用印字ヘッドを紙葉類挿入口と合流点との間に配置した構成としてもよい。
【００２０】
また、冊子を収納するスタッカを設け、このスタッカから繰り出した冊子を冊子搬送路に送り出せる構成としてもよい。このようにすれば、冊子挿入口から挿入された冊子の印字欄が一杯になったときに、新たな冊子の発行等が行える。
【発明の効果】
【００２１】
この発明によれば、搬送している冊子や、紙葉類のスキューやジャムの発生が抑えられるとともに、本体コストや、運用コストが抑えられる。
【図面の簡単な説明】
【００２２】
【図１】通帳／帳票処理装置の主要部の構成を示すブロック図である。
【図２】通帳処理ユニット、および帳票処理ユニットの内部構成を示す概略の断面図である。
【図３】別の例にかかる通帳処理ユニット、および帳票処理ユニットの内部構成を示す概略の断面図である。
【図４】別の例にかかる通帳処理ユニット、および帳票処理ユニットの内部構成を示す概略の断面図である。
【図５】別の例にかかる通帳処理ユニット、および帳票処理ユニットの内部構成を示す概略の断面図である。
【図６】別の例にかかる通帳処理ユニット、および帳票処理ユニットの内部構成を示す概略の断面図である。
【発明を実施するための形態】
【００２３】
以下、この発明の実施形態である通帳／帳票処理装置について、詳細に説明する。
【００２４】
図１は、この通帳／帳票処理装置の主要部の構成を示すブロック図である。この通帳／帳票処理装置１は、通帳処理ユニット２と、帳票処理ユニット３とを有している。通帳／帳票処理装置１は、通帳処理ユニット２と、帳票処理ユニット３とを結合している。
【００２５】
通帳処理ユニット２は、制御部２１と、通帳搬送部２２と、バーコード処理部２３と、磁気データ処理部２４と、印字部２５と、入出力部２６と、通信部２７と、を備えている。制御部２１は、通帳処理ユニット２本体各部の動作を制御する。通帳搬送部２２は、後述する通帳搬送路に沿って通帳を搬送する。バーコード処理部２３は、通帳の各ページに印刷されているバーコードを読み取って処理する。このバーコードは、通帳のページ番号等を示す情報である。磁気データ処理部２４は、通帳の裏表紙に貼付されている磁気ストライプに対する磁気データの記録や読取を行う。この磁気ストライプには、対応する口座番号等が磁気データとして記録される。印字部２５は、通帳、および帳票に対する印字を行う。入出力部２６は、帳票処理ユニット３との間におけるデータの入出力を制御するインタフェースである。通信部２７は、金融機関のホスト装置（不図示）等の上位装置との通信を制御する。
【００２６】
また、帳票処理ユニット３は、制御部３１と、帳票搬送部３２と、画像処理部３３と、入出力部３４と、を備えている。制御部３１は、帳票処理ユニット３本体各部の動作を制御する。帳票搬送部３２は、後述する帳票搬送路に沿って帳票を搬送する。画像処理部３３は、帳票搬送路を搬送されている帳票の表面画像を撮像するとともに、その表面画像（撮像画像）に対して文字認識等の画像処理を行う。入出力部３４は、通帳処理ユニット２との間におけるデータの入出力を制御するインタフェースである。
【００２７】
この通帳／帳票処理装置１では、通帳処理ユニット２が、帳票処理ユニット３の上位ユニットとして機能するものとしている。そのため、金融機関のホスト装置等の上位装置との通信を制御する通信部２７を通帳処理ユニット２に設けている。帳票処理ユニット３を通帳処理ユニット２の上位ユニットとして機能させる場合には、この上位装置との通信部を通帳処理ユニット２ではなく、帳票処理ユニット３に設ければよい。
【００２８】
次に、通帳処理ユニット２に形成されている通帳搬送路、および帳票処理ユニット３に形成されている帳票搬送路について説明する。図２は、通帳処理ユニット、および帳票処理ユニットの内部構成を示す概略の断面図である。通帳処理ユニット２には、通帳処理ユニット２の正面に設けた通帳挿入口２ａと、通帳処理ユニット２の背面に設けた放出口２ｂと、を結ぶ通帳搬送路が形成されている。この通帳搬送路は、後述する合流点２０ｃを境にして、通帳挿入口２ａ側の通帳専用搬送路２０ａと、放出口側の共通搬送路２０ｂと、で構成されている。通帳専用搬送路２０ａと、共通搬送路２０ｂとはつながっている。通帳専用搬送路２０ａには、バーコードリーダ２３ａ、磁気ヘッド２４ａが、この順で配置されている。また、通帳専用搬送路２０ａには、図示していないが、通帳のページを捲るページ捲り機構部（ページ捲りローラ）等も配置されている。共通搬送路２０ｂ側には、印字ヘッド２５ａが配置されている。
【００２９】
また、帳票処理ユニット３には、帳票処理ユニット３の正面に設けた帳票挿入口３ａと、通帳搬送路の合流点２０ｃと、を結ぶ帳票専用搬送路３０ａが形成されている。この帳票専用搬送路３０ａは、実際には、直接合流点２０ｃにつながっているわけではなく、通帳処理ユニット２の内部に形成した帳票専用搬送路（連結搬送路）を介して、合流点２０ｃにつながっている。すなわち、帳票専用搬送路３０ａは、その一部が通帳処理ユニット２内に形成されている。帳票処理ユニット３の筐体は、帳票専用搬送路３０ａの端部が対向する位置に、帳票を放出する開口部を設けている。また、通帳処理ユニット２も、帳票処理ユニット３の開口部に対向する位置に開口部を設けているとともに、合流点２０ｃをつなぐ帳票専用搬送路（連結搬送路）の端部が、この開口部に位置している。
【００３０】
なお、通帳処理ユニット２と、帳票処理ユニット３とは、着脱自在の構成である。
【００３１】
バーコード処理部２３は、バーコードリーダ２３ａで検出した通帳に印刷されているバーコードからの反射光パターンにより開かれているページを判断するとともに、記帳欄からの反射光により、そのページにおける最終印字行の検出等を行う。磁気ヘッド２４ａは、通帳専用搬送路２０ａを搬送されている通帳の裏表紙に貼付されている磁気ストライプに当接する位置に配置している。磁気データ処理部２４は、磁気ヘッド２４ａを用いて、通帳に貼付されている磁気ストライプに対するデータの記録や、読取を行う。印字部２５は、印字ヘッド２５ａを用いて、共通搬送路２０ｂを搬送されている通帳や、帳票に対する印字を行う。
【００３２】
また、画像処理部３３は、イメージセンサ３３ａを用いて、帳票専用搬送路３０ａを搬送されている帳票の表面画像を撮像した撮像画像を取得するとともに、この撮像画像に対して文字認識等の画像処理を行う。
【００３３】
通帳搬送部２２は、通帳専用搬送路２０ａにおける通帳の搬送、および共通搬送路２０ｂにおける通帳や帳票の搬送を制御する。通帳搬送部２２は、通帳や帳票の搬送方向を、通帳挿入口２ａから放出口２ｂの方向（正方向）と、放出口２ｂから通帳挿入口２ａの方向（逆方向）の切り換えが行える。
【００３４】
帳票搬送部３２は、帳票専用搬送路３０ａにおける帳票の搬送を制御する。帳票搬送部３２は、帳票専用搬送路３０ａにおける帳票を、帳票挿入口３ａから合流点２０ｃの方向（正方向）に搬送する。
【００３５】
さらに、合流点２０ｃには、搬送路の切り換えを制御するフラッパ（不図示）が設けられている。通帳搬送部２２は、このフラッパを制御して、通帳専用搬送路２０ａに沿って搬送されてきた通帳を共通搬送路２０ｂに送り出したり、帳票専用搬送路３０ａに沿って搬送されてきた帳票を共通搬送路２０ｂに送り出したりする、切り換えを行う。
【００３６】
通帳専用搬送路２０ａは、通帳を搬送する搬送路である。帳票専用搬送路３０ａは、帳票を搬送する搬送路である。そして、共通搬送路２０ｂが、通帳、および帳票を搬送する搬送路である。各搬送路は、搬送する媒体の厚さに応じて形成している。前述したように、共通搬送路２０ｂについては、通帳、および帳票を搬送することから、バネなどの弾性体を用い、搬送ローラにおいてクッション作用が得られる構成にしている。
【００３７】
なお、通帳専用搬送路２０ａ、および帳票専用搬送路３０ａについては、略同じ厚さの媒体を搬送することから、搬送ローラにおいてクッション作用を得るために、バネなどの弾性体を用いていない構成である。
【００３８】
また、ここでは、通帳のページを捲る、公知のページ捲り機構については説明を省略している。ページ捲りローラは、通帳専用搬送路２０ａに設ければよい。
【００３９】
この通帳／帳票処理装置１は、通帳のみを処理する通帳処理モード、帳票のみを処理する帳票処理モード、および通帳、および帳票の両方を関連付けて処理する関連処理モードで動作する。
【００４０】
通帳処理モードでは、例えば、受け付けた通帳に記帳されていない取引の取引内容を記帳する記帳処理を行う。また、帳票処理モードでは、受け付けた取引伝票に記載されている取引内容を認識し、その取引内容を金融機関のホスト装置等に通知する取引認識処理を行う。さらに、関連処理モードでは、口座開設申込書に記載された内容を認識して、新たに口座を開設するとともに、この開設した口座の通帳を発行する口座開設処理を行う。以下、この通帳／帳票処理装置１の動作を、記帳処理、取引認識処理、および口座開設処理を例にして説明する。
【００４１】
まず、記帳処理について説明する。通帳処理ユニット２は、オペレータ等により、通帳が通帳挿入口２ａに挿入されるのを待つ。このとき、通帳は、取引内容の記帳を開始するページ（この時点で、最後の取引内容が記帳されているページ）を開いた状態で挿入される。通帳挿入口２ａに挿入された通帳は、通帳搬送部２２により通帳専用搬送路２０ａに沿って搬送され、バーコードリーダ２３ａ、および磁気ヘッド２４ａを通過する。このとき、バーコード処理部２３は、通帳の開かれているページを、バーコードリーダ２３ａで読み取ったバーコードから判断する。また、このページの最終記帳行も検出する。磁気データ処理部２４は、通帳の裏表紙に貼付されている磁気ストライプに記録されている磁気データを磁気ヘッド２４ａで読み取る。通帳処理ユニット２は、磁気データ処理部２４が磁気ストライプから読み取った磁気データに含まれている口座番号とともに、この口座に対する取引であって、未記帳の取引データの送信を上位装置に要求する。この要求は、通信部２７における上位装置との通信によって行われる。
【００４２】
通帳処理ユニット２は、上記要求に対して、上位装置から送信されてきた未記帳の取引データを受信すると、その取引データに基づいて、通帳への記帳を行う。この記帳は、印字部２５が印字ヘッド２５ａを制御して行う。このとき、通帳搬送部２２は、印字ヘッド２５ａの印字位置に対する通帳の位置を制御する。また、記帳の途中で、開かれているページの印字欄が一杯になると、図示していないページ捲り機構で、通帳のページを捲り、取引データを記帳する。通帳処理ユニット２は、取引内容の記帳が完了すると、この通帳を通帳挿入口２ａに戻し、放出する。また、記帳が完了し、通帳挿入口２ａに戻している通帳の磁気ストライプに対して、磁気データ処理部２４が磁気ヘッド２４ａを用いて口座番号等を磁気データで記録する。
【００４３】
なお、通帳搬送部２２は、通帳専用搬送路２０ａ、および共通搬送路２０ｂにおいて、必要に応じて、通帳を正方向、または逆方向に搬送する。
【００４４】
次に、取引認識処理について説明する。帳票処理ユニット３は、オペレータ等により、帳票が帳票挿入口３ａに挿入されるのを待つ。帳票挿入口３ａに挿入された帳票は、帳票搬送部３２により帳票専用搬送路３０ａに沿って搬送され、合流点２０ｃに達する。また、合流点２０ｃに達した帳票は、通帳搬送部２２により共通搬送路２０ｂに沿って搬送され、放出口２ｂに放出される。
【００４５】
画像処理部３３は、イメージセンサ３３ａにより、帳票専用搬送路３０ａを搬送されている帳票の表面画像を撮像した撮像画像を得る。また、この撮像画像に対して文字認識処理等にかかる画像処理を行い、記載されている取引（入金取引、出金取引、振込取引、振替取引等）の取引内容を認識する。帳票処理ユニット３は、画像処理部３３で認識した取引内容を通帳処理ユニット２に通知する。この通知は、入出力部２６、３４間におけるデータの入出力により行われる。
【００４６】
また、通帳処理ユニット２は、合流点２０ｃに搬送されてきた帳票を、共通搬送路２０ｂに沿って搬送しているときに、印字部２５が印字ヘッド２５ａを制御して処理通番を帳票に印字する。通帳処理ユニット２は、帳票処理ユニット３が画像処理部３３で帳票から得た取引内容と、印字部２５が帳票に印字した処理通番と、を含む、処理結果を上位装置に通知する。この上位装置への通知は、通信部２７における上位装置との通信によって行われる。
【００４７】
次に、口座開設処理について、説明する。この口座開設処理では、通帳挿入口２ａに通帳が挿入されるとともに、帳票挿入口３ａに必要事項を記入した口座申込書が挿入される。まず帳票処理ユニット３が、帳票挿入口３ａに挿入された帳票に対して、上述した取引認識処理と同様の処理を行う。ただし、ここで画像処理部３３が認識する内容は、口座開設にかかる申し込みである。
【００４８】
通帳処理ユニット２は、上位装置に対して口座の開設を要求し、上位装置から今回開設する口座の口座番号等を受け取る。通帳処理ユニット２は、通帳挿入口２ａに挿入された通帳（今回発行する通帳）を通帳専用搬送路２０ａに沿って搬送し、磁気ヘッド２４ａを通過させる。このとき、磁気データ処理部２４が、磁気ヘッド２４ａを用いて、今回発行する通帳の磁気ストライプに口座番号等を記録する。さらに、この通帳は、合流点２０ｃを通過し、共通搬送路２０ｂに沿って搬送される。印字部２５が、印字ヘッド２５ａを用いて、この通帳の表紙に、口座番号や、口座名義人の氏名等を印字する。その後、通帳は、放出口２ｂに搬送して放出してもよいし、通帳挿入口２ａに戻して放出してもよい。
【００４９】
このように、この通帳／帳票処理装置１は、磁気ヘッド２４ａを配置した通帳専用搬送路２０ａにおいて、帳票を搬送しない構成としているので、帳票が磁気ヘッド２４ａに当たり、スキューしたり、ジャムしたりすることがない。したがって、帳票のスキューやジャムに対する信頼性を向上できる。また、通帳、および帳票を搬送する共通搬送路２０ｂの長さを抑え、本体コストや、運用コストが低減できる。
【００５０】
また、帳票処理ユニット３は、帳票をセットしたトレイを帳票挿入口３ａに取り付けられるとともに、このトレイから帳票を１つずつ帳票専用搬送路３０ａに繰り出す繰出機構を有する構成としてもよい。このように構成すれば、上述の取引認識処理では、複数の帳票をセットしたトレイを帳票挿入口３ａに取り付けることで、このトレイにセットした複数の帳票を連続して処理することができる。したがって、作業効率の向上が図れる。
【００５１】
さらに、通帳挿入口２ａについても、未使用の通帳を収納したトレイを取り付けられる構成とし、このトレイから通帳を通帳専用搬送路２０ａに１冊ずつ繰り出す繰出機構を有する構成としてもよい。このように構成すれば、上述の口座開設処理において、帳票挿入口３ａに取り付けられたトレイにセットされている複数の帳票（口座申込書）を１つずつ繰り出しながら、繰り出した口座申込書毎に、記載内容（口座名義人の氏名等）を取引内容として認識する。そして、通帳処理ユニット２が、帳票処理ユニット３で処理された口座申込書毎に、上位装置に対して口座の開設を要求し、上位装置から開設する口座の口座番号を受け取る。通帳処理ユニット２は、通帳挿入口２ａに取り付けられているトレイから通帳を１冊ずつ繰り出し、上位装置から受け取った口座番号を含む磁気データを、この通帳の磁気ストライプに記録する。また、通帳の表紙に、口座番号や、口座名義人の氏名等を印字する。この処理では、通帳は、放出口２ｂに搬送して放出すればよい。これにより、トレイにセットされている複数の口座申込書を一括して処理し、開設した口座毎に通帳を発行することができる。
【００５２】
また、上記の通帳／帳票処理装置１は、帳票に対しても印字が行える仕様であったが、帳票については印字を行わない仕様（帳票に対して処理通番を印字しない仕様）であれば、図３に示すように、印字ヘッド２５ａを通帳専用搬送路２０ａ側に配置するのが好ましい。このようにすれば、共通搬送路２０ｂの長さを一層抑えることができ、本体コストや、運用コストがさらに低減できる。
【００５３】
また、図４に示すように、通帳専用搬送路２０ａに印字ヘッド２５ａを配置し、帳票専用搬送路３０ａに印字ヘッド２５ｂを配置してもよい。この場合、この印字ヘッド２５ｂを用いて、帳票専用搬送路３０ａに沿って搬送されている帳票に対して処理通番等を印字する。この印字処理は、通帳処理ユニット２の印字部２５で行ってもよいし、帳票処理ユニット３に印字部を設けてもよい。
【００５４】
なお、図４に示す構成では、通帳に対する印字は、通帳専用搬送路２０ａに配置した印字ヘッド２５ａにより行われる。
【００５５】
また、通帳／帳票処理装置１は、図５に示すように、通帳収納ユニット４も取り付けられる構成としてもよい。この通帳収納ユニット４は、未使用の通帳をセットする通帳カートリッジ４１を有している。通帳収納ユニット４は、通帳カートリッジ４１に収納されている通帳を、一冊ずつ通帳供給搬送路４０に繰り出す。通帳供給搬送路４０は、帳票処理ユニット３の帳票専用搬送路３０ａの途中に設けた合流点３０ｃにつながっている。
【００５６】
この場合、帳票処理ユニット３内において、合流点３０ｃと、通帳処理ユニット２内の合流点２０ｃと、を結ぶ搬送路を、通帳、および帳票を搬送する共通搬送路３０ｂとして構成する。これにより、通帳カートリッジ４１から繰り出した通帳は、通帳供給搬送路４０、共通搬送路３０ｂに沿って搬送し、通帳処理ユニット２に供給できる。
【００５７】
通帳収納ユニット４の通帳カートリッジ４１に収納している未使用の通帳は、上述した記帳処理において、通帳挿入口２ａに挿入された通帳の記帳欄が一杯になったときに、発行する新通帳として利用する。また、上述した口座開設処理で発行する通帳としても利用できる。
【００５８】
また、図５に示す例では、帳票処理ユニット３内に、共通搬送路３０ｂを形成することになるため、図６に示すように、通帳供給搬送路４０を通帳処理ユニット２内の合流点２０ｃに直接つなげる構成とするのが好ましい。
【００５９】
なお、帳票処理ユニット３は、上述の取引伝票や、口座開設申込書だけでなく、小切手や証券等の紙葉類の処理も行える構成としてもよい。
【符号の説明】
【００６０】
１…帳票処理装置
２…通帳処理ユニット
２ａ…通帳挿入口
２ｂ…放出口
３…帳票処理ユニット
３ａ…帳票挿入口
２０ａ…通帳専用搬送路
２０ｂ…共通搬送路
２０ｃ…合流点
２１…制御部
２２…通帳搬送部
２３…バーコード処理部
２３ａ…バーコードリーダ
２４…磁気データ処理部
２４ａ…磁気ヘッド
２５…印字部
２５ａ…印字ヘッド
２５ｂ…印字ヘッド
２６…入出力部
３０ａ…帳票専用搬送路
３０ｂ…共通搬送路
３０ｃ…合流点
３１…制御部
３２…帳票搬送部
３３…画像処理部
３３ａ…イメージセンサ
３４…入出力部
４…通帳収納ユニット
４０…通帳供給搬送路
４１…通帳カートリッジ
【図１】
2011088310.tif 000003
【図２】
2011088310.tif 000004
【図３】
2011088310.tif 000005
【図４】
2011088310.tif 000006
【図５】
2011088310.tif 000007
【図６】
2011088310.tif 000008